【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
繊維材料と、
該繊維材料を結合して一体構造のウェブにするポリマー組成物と、を備え、
該ポリマー組成物は、少なくともカチオン第４級アンモニウムモノマーと、１つか、それ以上の疎水性モノマーから形成されたカチオン・コポリマーからなることを特徴とする繊維基材。
【請求項２】
前記カチオン第４級アンモニウムモノマーが、［２−（メタクリロイロキシ）エチル］塩化トリメチルアンモニウムと、（３−アクリルアミドプロピル）塩化トリメチルアンモニウムと、Ｎ、Ｎ−ジアリルジメチル塩化アンモニウム、アクリロキシエチルトリメチル塩化アンモニウム、アクリロキシエチルジメチルベンジル塩化アンモニウム、メタクリロキシエチルトリメチルベンジル塩化アンモニウム、メタクリロエチルジメチル塩化アンモニウム及びメタクリロキシエチルジメチルベンジル塩化アンモニウムからなる群から選択されるものであることを特徴とする請求項１に記載の繊維基材。
【請求項３】
前記カチオン第４級アンモニウムモノマーは、［２−（メタクリロイロキシ）エチル］トリメチル塩化アンモニウムであることを特徴とする請求項２に記載の繊維基材。
【請求項４】
前記少なくとも１つの疎水性モノマーは、ｎ−アルキル置換モノマー単位、分岐アルキル置換モノマー単位、分岐アルキル置換モノマー単位、置換アクリルアミド及びアクリルエステルからなる群から選択されるものであることを特徴とする請求項１に記載の繊維基材。
【請求項５】
前記少なくとも１つの疎水性モノマーは、ｎ−アルキル及び分岐アルキル置換モノマー単位からなる群から選択されるものであることを特徴とする請求項１に記載の繊維基材。
【請求項６】
前記少なくとも１つの疎水性モノマーは、ｎ−ブチルアクリレート及び２−エチルヘキシルアクリレートからなる群から選択されるものであることを特徴とする請求項１に記載の繊維基材。
【請求項７】
前記コポリマーは少なくとも１つの水溶性または親水性モノマーを含むように形成されていることを特徴とする請求項１に記載の繊維基材。
【請求項８】
前記少なくとも１つの水溶性又は親水性モノマーは、アクリルアミド、メタアクリルアミド、置換アクリルアミド、置換メタアクリルアミド、ヒドロキシアルキルアクリレート、ヒドロキシアルキルメタアクリレート、ポリエチレングリコールアクリレート、ポリエチレングリコルメタアクレート及びビニルピロリドンからなる群から選択されるものであることを特徴とする請求項７に記載の繊維基材。
【請求項９】
前記ポリマー組成物は少なくとも１つのコバインダポリマーを備えることを特徴とする請求項１に記載の繊維基材。
【請求項１０】
前記コバインダポリマーは、ポリ（エチレン−ビニルアセテート）、ポリ(スチレンーブタジエン）、ポリ（スチレン−アクリル）、ビニルアクリルターポリマー、ネオプレン、ポリエステルラテックス、アクリル乳液ラテックス、塩化ポリビニル、及びエチレンビニル塩化コポリマーからなる群から選択されるものであることを特徴とする請求項９に記載の繊維基材。
【請求項１１】
前記ポリマー組成物は、少なくとも一つの非架橋コバインダポリマーを備えることを特徴とする請求項１に記載の繊維基材。
【請求項１２】
前記ポリマー組成物において、前記非架橋コバインダポリマーが、前記カチオンコポリマー内に分散されており、前記カチオンコポリマーが連続相であり、前記コバインダポリマーは不連続相であることを特徴とする請求項１１に記載の繊維基材。
【請求項１３】
前記コポリマーは、［2−（メタアクリロイロキシ）エチル］塩化トリメチルアンモニウム、ｎ−ブチルアクリレート、及び２−エチルヘキシルアクリレートから形成されるものであることを特徴とする請求項１に記載の繊維基材。
【請求項１４】
前記前記コポリーは、2−（メタアクリロイロキシ）エチル］塩化トリメチルアンモニウム、ｎ−ブチルアクリレート、及び２−エチルヘキシルアクリレート及びアクリルアミドから形成されるものであることを特徴とする請求項１に記載の繊維基材。
【請求項１５】
前記カチオンコポリマーの存在で水内で錯アニオンを形成できる二価金属塩を備えることを特徴とする請求項１から１４のいずれかに記載の繊維基材。
【請求項１６】
前記繊維基材は、少なくとも約５重量パーセントの二価金属塩を含む水溶液内で不溶であり、前記繊維基材は、約２００ｐｐｍまでの一価または多価イオンの一つまたはそれ以上を含む水内で分散できることを特徴とする請求項１５に記載の繊維基材。
【請求項１７】
前記繊維基材は、織布または不織布であることを特徴とする請求項１から１６のいずれかに記載の繊維基材。
【請求項１８】
前記繊維基材は、ティッシュウェブであることを特徴とする請求項１から１６のいずれかに記載の繊維基材。
【請求項１９】
前記繊維基材は、乾式ウェブであることを特徴とする請求項１から１６のいずれかに記載の繊維基材。
【請求項２０】
前記繊維基材は、水交絡されたウェブであることを特徴とする請求項１から１６のいずれかに記載の基材。
【請求項２１】
前記繊維基材は、少なくとも約０．５重量パーセントの不溶剤を含む水内で実質的に分散できず、前記繊維基材は実質的に水分散できることを特徴とする請求項１から２０のいずれかに記載の繊維基材。
【請求項２２】
前記不溶剤は、１つかそれ以上の多価イオンからなる塩を備え、前記繊維基材は、約２００ｐｐｍまでの一価または多価イオンの一つまたはそれ以上を含む水内で分散可能であることを特徴とする請求項１５に記載の繊維基材。
【請求項２３】
前記繊維基材は、十分な量の不溶剤を含む湿潤溶液によって湿潤にされ、前記バインダ配合物が前記湿潤溶液内で不溶性であることを特徴とする請求項１から２２のいずれかに記載の繊維基材。
【請求項２４】
前記不溶剤は、一価または多価イオンを有する塩を備えることを特徴とする請求項２３に記載の繊維基材。
【請求項２５】
前記繊維基材は、少なくとも約０．５重量パーセントの二価金属塩を含む湿潤溶液内で不溶であり、前記繊維基材は、約２００ｐｐｍまでの一価または多価イオンの一つまたはそれ以上を含む水内で分散できることを特徴とする請求項２３に記載の繊維基材。
【請求項２６】
前記不溶剤はＺｎＣｌ2、ＭｇＣｌ2、ＣａＣｌ2からなる群から選択される塩であることを特徴とする請求項２４または２５に記載の繊維基材。
【請求項２７】
請求項１から２６のいずれかに記載の前記繊維基材からなる水分散可能物品。
【請求項２８】
前記分散可能物品は湿潤ワイプであることを特徴とする請求項２７に記載の水溶性物品。
【請求項２９】
前記湿潤ワイプが少なくとも約１００ｇ/インチの使用時濡れ引張強度と、約１時間で約５０ｐｐｍのＣａ2+及び/またはＭｇ2+イオンの濃度を有する水に浸された後に約３０ｇ/インチ未満の引張強度を有するものであることを特徴とする請求項２８に記載の水分散性物品。
【請求項３０】
請求項１から１４のいずれかに記載のポリマー組成物を繊維材料基材に付与する段階を有する繊維基材を製造する方法。
【請求項３１】
十分な量の不溶剤を含む湿潤溶液を前記基材に付与する段階を備え、前記バインダ配合物は前記湿潤溶液内で不溶性であることを特徴とする請求項３０に記載の方法。
【請求項３２】
前記不溶剤は、一価及び/または多価イオンからなる塩であることを特徴とする請求項３１に記載の方法。